【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
無線通信のための方法であって、
複数の受信機で受信されるべき共通情報の送信のために無ライセンススペクトルのキャリア周波数のセットを識別することと、ここにおいて、前記共通情報は、同期情報および同報チャネル情報を備える、
キャリア周波数の前記セットにおける前記キャリア周波数の各々にわたって前記共通情報を送信するためのずらしパターンを決定することと、ここにおいて、前記ずらしパターンは、前記キャリア周波数の各々上での前記同期情報の送信、および前記キャリア周波数のサブセット上での前記同報チャネル情報の送信を備える、
を備える、方法。
【請求項２】
前記共通情報は、ページング情報をさらに備える、請求項１に記載の方法。
【請求項３】
前記ずらしパターンは、前記キャリア周波数のサブセット上の前記ページング情報の送信をさらに備える、請求項２に記載の方法。
【請求項４】
前記同期情報の送信帯域幅が該当のキャリア周波数のための利用可能な帯域幅よりも少なく、追加の情報が残りの利用可能な送信帯域幅を使用して送信される、請求項１に記載の方法。
【請求項５】
前記ページング情報は、特定のユーザ機器(ＵＥ)のために識別された情報であって、前記ＵＥのためのページング機会中に送信された情報を備え、前記ＵＥのための前記ページング機会が１つまたは複数のＵＥ識別、１つまたは複数のキャリア周波数、または両方の関数である、請求項２に記載の方法。
【請求項６】
前記ずらしパターンを決定することは、キャリア周波数の前記セットの各キャリア周波数上の前記共通情報の送信のために非オーバーラップ時間期間を選択することを含み、キャリア周波数の前記セットの各キャリア周波数は前記ずらしパターンの前記時間期間中の前記共通情報の少なくとも１つの送信を含む、請求項１に記載の方法。
【請求項７】
キャリア周波数の前記セットは、少なくとも１つのアンカー周波数、および利用可能な周波数のグループから選択された複数のフレキシブルキャリア周波数を含む、請求項１に記載の方法。
【請求項８】
無線通信のための方法であって、
無ライセンススペクトルのキャリア周波数上の共通情報送信を受信することと、ここにおいて、前記共通情報は、同期情報および同報チャネル情報を備える、
前記受信された共通情報送信に基づいてキャリア周波数のセットにわたる共通情報の送信のためのずらしパターンを決定することと、ここにおいて、前記ずらしパターンは、前記キャリア周波数の各々上での前記同期情報の送信、および前記キャリア周波数のサブセット上での前記同報チャネル情報の送信を備える、
を備える、方法。
【請求項９】
前記決定することは、
前記受信された共通情報送信の時間およびキャリア周波数を識別することと、
前記受信された共通情報送信の前記時間および前記周波数に基づいて前記ずらしパターンを決定することとを備える、請求項８に記載の方法。
【請求項１０】
共通情報送信を前記受信することは、前記共通情報送信を求めて複数のキャリア周波数をサーチすることを備える、請求項８に記載の方法。
【請求項１１】
前記サーチすることは、同期信号を検出するために、前記複数のキャリア周波数を並列にサーチすること、または各キャリア周波数の帯域幅の一部を並列にサーチすること、および時間が経つにつれて異なるキャリア周波数からの信号を組み合わせることとを備える、請求項１０に記載の方法。
【請求項１２】
前記共通情報送信は、前記ずらしパターンを指示するシグナリングを備える、請求項８に記載の方法。
【請求項１３】
無線通信のための装置であって、
複数の受信機で受信されるべき共通情報の送信のために無ライセンススペクトルのキャリア周波数のセットを識別するための手段と、ここにおいて、前記共通情報は、同期情報および同報チャネル情報を備える、
キャリア周波数の前記セットにおける前記キャリア周波数の各々にわたって前記共通情報を送信するためのずらしパターンを決定するための手段と、ここにおいて、前記ずらしパターンは、前記キャリア周波数の各々上での前記同期情報の送信、および前記キャリア周波数のサブセット上での前記同報チャネル情報の送信を備える、
を備える、装置。
【請求項１４】
無線通信のための装置であって、
無ライセンススペクトルのキャリア周波数上の共通情報送信を受信するための手段と、ここにおいて、前記共通情報は、同期情報および同報チャネル情報を備える、
前記受信された共通情報送信に基づいてキャリア周波数のセットにわたる共通情報の送信のためのずらしパターンを決定するための手段と、ここにおいて、前記ずらしパターンは、前記キャリア周波数の各々上での前記同期情報の送信、および前記キャリア周波数のサブセット上での前記同報チャネル情報の送信を備える、
を備える、装置。
【請求項１５】
実行されたとき、請求項１乃至１２のうちのいずれか一項に記載の方法をコンピュータに実行させる命令を備える、コンピュータプログラム。
【手続補正２】
【補正対象書類名】明細書
【補正対象項目名】０１１１
【補正方法】変更
【補正の内容】
【０１１１】
[0117]  本開示の先の説明は、当業者に本開示の製造または使用を可能にするように提供される。本開示に対する様々な修正は、当業者にとって容易に明らかとなり、本明細書において定義された包括的な原理は、本開示の精神または範囲から逸脱することなしに他の変形例に適用され得る。本開示を通して、用語「例（example）」あるいは「例示的（exemplary）」は、例あるいは実例を示すものであり、言及された例に対するいかなる選好を暗に示すものでも必要とするものでもない。よって、本開示は、本明細書で説明された例および設計に限定されるように意図されたものではなく、本明細書で開示された原理および新規な特徴と一致する最も広い範囲が付与されるべきである。
以下に、本願の出願当初の特許請求の範囲に記載された発明を付記する。
［Ｃ１］
無線通信のための方法であって、
複数の受信機で受信されるべき共通情報の送信のために無ライセンススペクトルのキャリア周波数のセットを識別することと、
キャリア周波数の前記セットにおけるキャリア周波数の各々にわたって前記共通情報を送信するためのずらしパターンを決定することと
を備える、方法。
［Ｃ２］
前記ずらしパターンに従ってキャリア周波数の前記セット上で前記共通情報を送信することをさらに備える、Ｃ１に記載の方法。
［Ｃ３］
前記共通情報は、同期情報、同報チャネル情報、またはページング情報の１つまたは複数を備える、Ｃ１に記載の方法。
［Ｃ４］
前記ずらしパターンは、前記キャリア周波数上の同期情報の送信、および前記キャリア周波数のサブセット上の同報またはページング情報の送信を備える、Ｃ３に記載の方法。
［Ｃ５］
前記同期情報の送信帯域幅が該当のキャリア周波数のための利用可能な帯域幅よりも少なく、追加の情報が残りの利用可能な送信帯域幅を使用して送信される、Ｃ３に記載の方法。
［Ｃ６］
前記ベージング情報は、特定のユーザ機器(ＵＥ)のために識別された情報であって、前記ＵＥのためのページング機会中に送信された情報を備え、前記ＵＥのための前記ページング機会が１つまたは複数のＵＥ識別、１つまたは複数のキャリア周波数、または両方の関数である、Ｃ３に記載の方法。
［Ｃ７］
前記ベージング情報は、キャリア周波数の前記セットのうちの２つ以上にわたってずらされる、Ｃ３に記載の方法。
［Ｃ８］
各キャリア周波数上の共通情報の送信のための時間期間が所定の時間期間よりも少ない、Ｃ１に記載の方法。
［Ｃ９］
前記ずらしパターンは、キャリア周波数の前記セットのうちの１つ上の共通情報送信の検出に伴って決定可能な所定のずらしパターンである、Ｃ１に記載の方法。
［Ｃ１０］
前記ずらしパターンを決定することは、キャリア周波数の前記セットの各キャリア周波数上の共通情報の送信のために非オーバーラップ時間期間を選択することを含み、キャリア周波数の前記セットの各キャリア周波数は前記ずらしパターンの前記時間期間中の共通情報の少なくとも１つの送信を含む、Ｃ１に記載の方法。
［Ｃ１１］
キャリア周波数の前記セットの異なる周波数上の送信のための前記時間期間は前記共通情報の少なくとも一部を提供するために選択される、Ｃ１０に記載の方法。
［Ｃ１２］
前記ずらしパターンは、前記共通情報の少なくとも一部がキャリア周波数の前記セットの少なくとも１つ上で送信される間にキャリア周波数のサブセットを消去することを含む、Ｃ１に記載の方法。
［Ｃ１３］
キャリア周波数の前記セットは、少なくとも１つのアンカー周波数、および利用可能な周波数のグループから選択された複数のフレキシブルキャリア周波数を含む、Ｃ１に記載の方法。
［Ｃ１４］
無線通信のための方法であって、
無ライセンススペクトルのキャリア周波数上の共通情報送信を受信することと、
前記受信された共通情報送信に基づいてキャリア周波数のセットにわたる共通情報の送信のためのずらしパターンを決定することと
を備える、方法。
［Ｃ１５］
前記決定することは、
前記受信された共通情報送信の時間およびキャリア周波数を識別することと、
前記受信された共通情報送信の前記時間および前記周波数に基づいて前記ずらしパターンを決定することとを備える、Ｃ１４に記載の方法。
［Ｃ１６］
共通情報送信を受信することは、前記共通情報送信を求めて複数のキャリア周波数をサーチすことを備える、Ｃ１４に記載の方法。
［Ｃ１７］
前記サーチすることは、前記複数のキャリア周波数を並列にサーチすること、または各キャリア周波数の帯域幅の一部を並列にサーチすること、および時間が経つにつれて異なるキャリア周波数からの信号を組み合わせることとを備える、Ｃ１６に記載の方法。
［Ｃ１８］
周波数間測定目的で前記ずらしパターンを基地局へ通知することをさらに備える、Ｃ１４の方法。
［Ｃ１９］
前記共通情報送信は、前記ずらしパターンを指示するシグナリングを備える、Ｃ１４に記載の方法。
［Ｃ２０］
前記ずらしパターンからの情報を使用して周波数間測定を行うことをさらに備える、Ｃ１９に記載の方法。
［Ｃ２１］
前記共通情報は、同期情報、同報チャネル情報、またはページング情報の１つまたは複数を備える、Ｃ１４に記載の方法。
［Ｃ２２］
前記ずらしパターンは、前記キャリア周波数の各々上の同期情報送信、および前記キャリア周波数のサブセット上の同報またはページング情報の送信を備える、Ｃ２１に記載の方法。
［Ｃ２３］
前記ベージング情報は、特定のユーザ機器(ＵＥ)のために識別された情報であって、前記ＵＥのためのページング機会中に送信された情報を備え、前記ＵＥのための前記ページング機会が１つまたは複数のＵＥ識別、１つまたは複数のキャリア周波数、または両方の関数である、Ｃ２１に記載の方法。
［Ｃ２４］
キャリア周波数の前記セットは、少なくとも１つのアンカー周波数、および利用可能な周波数のグループから選択された複数のフレキシブルキャリア周波数を含む、Ｃ１４に記載の方法。
［Ｃ２５］
無線通信通信のための装置であって、
複数の受信機で受信されるべき共通情報の送信のために無ライセンススペクトルのキャリア周波数のセットを識別するための手段と、
キャリア周波数の前記セットにおけるキャリア周波数の各々にわたって前記共通情報を送信するためのずらしパターンを決定するための手段と
を備える、装置。
［Ｃ２６］
前記ずらしパターンに従ってキャリア周波数の前記セット上で前記共通情報を送信するための手段をさらに備える、Ｃ２５に記載の装置。
［Ｃ２７］
前記ずらしパターンは、キャリア周波数の前記セットのうちの１つ上の共通情報送信の検出に伴って決定可能な所定のずらしパターンである、Ｃ２５に記載の装置。
［Ｃ２８］
無線通信のための装置であって、
無ライセンススペクトルのキャリア周波数上の共通情報送信を受信するための手段と、
前記受信された共通情報送信に基づいてキャリア周波数のセットにわたる共通情報の送信のためのずらしパターンを決定するための手段と
を備える、装置。
［Ｃ２９］
前記受信された共通情報送信の時間およびキャリア周波数の周波数を識別するための手段と、
前記受信された共通情報送信の前記時間および前記周波数に基づいて前記ずらしパターンを決定するための手段とをさらに備える、Ｃ２８に記載の装置。
［Ｃ３０］
前記ずらしパターンは、キャリア周波数の前記セットのうちの１つ上の共通情報送信の検出に伴って決定可能な所定のずらしパターンである、Ｃ２８に記載の装置。